(57)【要約】【課題】肩部における増圧吸収効果を高める。【解決手段】口部（２）と、口部（２）から底面方向に向かうにつれて徐々に拡径する肩部（３）と、肩部（３）と連続する胴部（４）と、を備えるプラスチックボトルにおいて、肩部（３）に、内方に向かって陥没するパネル（３１）が少なくとも一つ設けられ、パネル（３１）の底面（３１ａ）は、内方に向かって凸となる湾曲面に形成されており、パネル（３１）の上下両端（３１ｃ）を通る平面（Ｐ）からパネル（３１）の底面（３１ａ）の最深部までの深さ（Ｄ）が１ｍｍ〜７ｍｍである。【選択図】図４
2019038595.tif 000002
【特許請求の範囲】
【請求項１】
口部と、前記口部から底面方向に向かうにつれて徐々に拡径する肩部と、前記肩部と連続する胴部と、を備えるプラスチックボトルであって、
前記肩部に、内方に向かって陥没するパネルが少なくとも一つ設けられ、
前記パネルの底面は、内方に向かって凸となる湾曲面に形成されており、
前記パネルの上下両端を通る平面から前記パネルの前記底面の最深部までの深さが１ｍｍ〜７ｍｍであるプラスチックボトル。
【請求項２】
隣り合う前記パネルの側辺の間には柱部が設けられている請求項１に記載のプラスチックボトル。
【請求項３】
前記肩部には、前記パネルが３つ以上設けられている請求項１又は２に記載のプラスチックボトル。
【請求項４】
前記柱部と前記パネルとの境目が弧状に形成されている請求項１〜３のいずれか一項に記載のプラスチックボトル。
【請求項５】
前記パネルは前記胴部と接続されており、前記胴部と前記パネルとの境目が弧状に接続されている請求項１〜４のいずれか一項に記載のプラスチックボトル。
【請求項６】
前記パネルが三角形状又は台形状に形成されている請求項１〜５のいずれか一項に記載のプラスチックボトル。
【請求項７】
前記胴部の周面は、凹凸のない平滑面に形成されている請求項１〜６のいずれか一項に記載のプラスチックボトル。
【請求項８】
前記プラスチックボトルが、加温用のプラスチックボトルである請求項１〜７のいずれか一項に記載のプラスチックボトル。
【発明の詳細な説明】
【技術分野】
【０００１】
本発明は、口部と、前記口部から底面方向に向かうにつれて徐々に拡径する肩部と、前記肩部と連続する胴部と、を備えるプラスチックボトルに関する。
【背景技術】
【０００２】
近年、飲料充填用のプラスチックボトルとして、冷却状態又は常温で陳列されるプラスチックボトルのみならず、加温した状態で陳列される加温用のプラスチックボトルも用いられている。そして、加温用のプラスチックボトルでは、常温の飲料が充填されて、陳列時に加温するというようにして用いられる場合があり、この場合、陳列時の加温による温度変化によりボトルの内圧が充填時よりも上昇してしまう。
【０００３】
これに対し、特開２０１６−１３２５００号公報（特許文献１）には、肩部及び胴部に圧吸収用のパネルを設けたボトルが開示されており、このボトルによれば、この肩部及び胴部のパネルにより、充填後の加温による内圧の上昇を吸収できるようになっている。
【先行技術文献】
【特許文献】
【０００４】
【特許文献１】特開２０１６−１３２５００号公報
【発明の概要】
【発明が解決しようとする課題】
【０００５】
しかし、上記特許文献１のボトルでは、胴部の全体にパネルを設けなければならず、胴部に対し装飾を設けるなど胴部のデザインを変更しようとする際の弊害となっている。そのため、胴部のデザインを変更しようとすると、その分、胴部以外の箇所でボトル内部の増圧を吸収させる必要がある。
【０００６】
そこで、肩部における増圧吸収効果を高めるプラスチックボトルの実現が望まれる。
【課題を解決するための手段】
【０００７】
本発明に係るプラスチックボトルは、
口部と、前記口部から底面方向に向かうにつれて徐々に拡径する肩部と、前記肩部と連続する胴部と、を備えるプラスチックボトルであって、
前記肩部に、内方に向かって陥没するパネルが少なくとも一つ設けられ、
前記パネルの底面は、内方に向かって凸となる湾曲面に形成されており、
前記パネルの上下両端を通る平面から前記パネルの前記底面の最深部までの深さが１ｍｍ〜７ｍｍである。
【０００８】
この構成によれば、内方に向かって凸となる湾曲面を有するパネルを配設することにより、ボトル内部の増圧時にパネルが外方側に大きく動くことが可能になり、肩部における増圧吸収効果を効果的に高めることができる。また、深さが１ｍｍ〜７ｍｍであることにより、肩部における増圧吸収効果を効果的に高めることができる。つまり、深さが１ｍｍ未満であると増圧吸収量が不十分であり、また深さが７ｍｍを超えるとパネルが動きにくく増圧吸収が困難になる。
【０００９】
以下、本発明に係るプラスチックボトルの好適な態様について説明する。但し、以下に記載する好適な態様例によって、本発明の範囲が限定される訳ではない。
【００１０】
１つの態様として、隣り合う前記パネルの側辺の間には柱部が設けられていると好適である。
【００１１】
この構成によれば、柱部を設けることで、隣接するパネルの動きが、パネル同士互いに影響しないようにすることができる。
【００１２】
１つの態様として、前記肩部には、前記パネルが３つ以上設けられていると好適である。
【００１３】
この構成によれば、パネルが３つ以上あることで、パネルが大きくなり過ぎず、増圧時にパネルが動きやすくなる。
【００１４】
１つの態様として、前記柱部と前記パネルとの境目が弧状に形成されていると好適である。また、前記パネルは前記胴部と接続されており、前記胴部と前記パネルとの境目が弧状に接続されていると好適である。
【００１５】
この構成によれば、柱部とパネルとの境目や胴部とパネルとの境目が弧状であることにより、これらの境目が角張っている場合に比べ、増圧時にパネルが外方側に動きやすくなる。
【００１６】
１つの態様として、前記パネルが三角形状又は台形状に形成されていると好適である。
【００１７】
この構成によれば、パネルが三角形状又は台形状であることにより、肩部の上にパネルを広く設けることができる。また、四角形状のパネルに比べ、パネルが動きやすくなり、パネル面積も広く設けられる。
【００１８】
１つの態様として、前記胴部の周面は、凹凸のない平滑面に形成されていると好適である。
【００１９】
本発明に係るプラスチックボトルによれば肩部により効果的に増圧を吸収できるために、胴部をパネルのない平滑面にでき、意匠的効果を高めることができる。
【００２０】
１つの態様として、前記プラスチックボトルが、加温用のプラスチックボトルであると好適である。
【００２１】
本発明に係るプラスチックボトルによれば肩部により効果的に増圧を吸収できるために、この構成のように加温用のプラスチックボトルとしてもボトル内部の増圧による弊害を効果的に回避できる。
【図面の簡単な説明】
【００２２】
【図１】プラスチックボトルの正面図
【図２】プラスチックボトルの平面図
【図３】図１のIII−III断面図
【図４】図２のIV−IV断面図
【発明を実施するための形態】
【００２３】
本発明に係るプラスチックボトルの実施形態について、図面を参照して説明する。本実施形態に係るプラスチックボトル１は、図１に示すように、液体の注ぎ口としての口部２と、口部２と連続し、底面方向に向かうにつれて徐々に拡径する肩部３と、肩部３と連続する円筒状の胴部４と、プラスチックボトル１の底となる底部５と、から構成されている。そして、本実施形態に係るプラスチックボトル１は、加温用であり、肩部３に設けられたパネル３１に特徴がある。以下、肩部３の構成について詳細に説明する。
【００２４】
本実施形態では、図１〜４に示すように、肩部３に、内方に向かって陥没するパネル３１が等間隔且つ同形状で４つ設けられている。そして、図３に示すように、各パネル３１の底面３１ａは、ボトル内方に向かって凸となる湾曲面に形成されている。このように、ボトル内方に向かって凸となる湾曲面であることにより、ボトル内部の増圧時にパネル３１が外方側に大きく動くことが可能になる。また、パネル３１は、周方向に対して垂直に延びるようになっている。
【００２５】
パネルの上下両端３１ｃ，３１ｃを通る平面Ｐからパネル３１の底面３１ａの最深部までの深さＤ（図４参照）は１ｍｍ〜７ｍｍとなっている。深さＤが１ｍｍ未満であると増圧吸収量が不十分であり、深さＤが７ｍｍを超えるとパネルが動きにくく増圧吸収が困難になるためである。なお、深さＤは、２ｍｍ〜６ｍｍであるとより好ましく、３ｍｍ〜５ｍｍであるとさらに好ましい。
【００２６】
本実施形態では、隣り合うパネル３１の側辺３１ｂの間には柱部３２が設けられている。パネル３１を設けることで、隣接するパネルの動きが、パネル同士互いに影響しないようにすることができる。また、柱部３２とパネル３１との境目が弧状に形成されており、柱部３２とパネル３１との境目が角張っている場合に比べ、増圧時にパネル３１が外方側に動きやすくなっている。さらに、パネル３１は胴部４と接続されており、胴部４とパネル３１との境目が弧状に形成されている。これにより、胴部４とパネル３１との境目が角張っている場合に比べ、増圧時にパネル３１が外方側に動きやすくなっている。
【００２７】
本実施形態では、パネル３１が台形状に形成されている。これにより、肩部３の上にパネル３１を広く設けることができるようになっており、肩部３における増圧吸収効果を高めてある。また、四角形状のパネルに比べ、増圧時にパネルが外方側に動きやすくなっており、パネル面積も広く取れる。
【００２８】
以上のような構成を備える肩部３により、肩部３における増圧吸収効果を高めてあり、胴部４に増圧吸収機能を有する構成を設けることなく、加温時のボトル内部の増圧を吸収可能になっている。そこで、本実施形態では、肩部３で増圧を吸収するため、胴部４には、凹凸のない平滑面で周面を構成するという特徴的な構成を採用でき、意匠的効果を高めることができるようになっている。
【００２９】
次に、肩部３における増圧吸収効果の一例について説明する。本実施形態に係るプラスチックボトル１と同形状の５００ｍｌのボトルについて、飲料を充填した状態で所定時間７５℃の湯で湯煎した後のボトル形状の変化を比較した。具体的には、（１）肩部にパネル自体を設けなかったボトル、（２）パネルを肩部に４つ設けたもののパネルの底面を平面としたボトル、（３）底面がボトル内方に向かって凸となる湾曲面に形成されているパネルを肩部に４つ設けたボトルでパネル最深部の深さが３ｍｍのボトル、（４）（３）のボトルにおいてパネル最深部の深さが４ｍｍのボトル、（５）（３）のボトルにおいてパネル最深部の深さが５ｍｍのボトルの（１）〜（５）のそれぞれ肩部の構成のみが異なるボトルについて比較を行ったところ、（１），（２）のボトルについては、湯煎を続けることでボトルの底部が変形することにより自立不可又は自立しても傾く状態に至ったものの、（３）〜（５）のボトルについては（１），（２）のボトルの状態まで至ることはなく正常に自立可能な状態を維持している。このように、底面がボトル内方に向かって凸となる湾曲面に形成されているパネルを肩部に設けることにより、肩部における増圧吸収効果が高められていることがわかる。
【００３０】
なお、本実施形態に係るプラスチックボトル１は、例えば、ポリエチレン、ポリプロピレン、ポリエチレンテレフタレート等の熱可塑性樹脂を主材料として、二軸延伸ブロー成型等の延伸成形法によって一体的に成型することができる。プラスチックボトル１の容量は特に限定されず、一般的に流通している２８０ｍｌ、３５０ｍｌ、５００ｍｌなど、２００ミリリットル〜２リットル程度とすることができる。また、ボトル１に充填させる液体は特に限定されず、例えば、飲料水、茶、果汁、コーヒー、ココア、清涼飲料水、アルコール飲料、乳飲料、スープなどの飲料や、ソースや醤油などの液体調味料などが挙げられる。
【００３１】
〔その他の実施形態〕
最後に、本発明に係るプラスチックボトルのその他の実施形態について説明する。なお、以下のそれぞれの実施形態で開示される構成は、矛盾が生じない限り、他の実施形態で開示される構成と組み合わせて適用することも可能である。
【００３２】
（１）上述の実施形態では、パネル３１を肩部３に４つ設けた構成を例に説明した。しかし、本発明の実施形態はこれに限定されず、パネル３１は少なくとも一つ設けられていればよく、より好ましくは３つ以上設けられていればよい。
【００３３】
（２）上述の実施形態では、パネル３１を台形状に形成した構成を例に説明した。しかし、本発明の実施形態はこれに限定されず、パネル３１は三角形状であってもよく、その他適宜変更可能である。
【００３４】
（３）上述の実施形態では、パネル３１に何らの装飾も施さなかった構成を例に説明した。しかし、本発明の実施形態はこれに限定されず、パネル３１に所定の文字や図形等の装飾を設けるようにしてもよい。
【００３５】
（４）上述の実施形態では、柱部３２とパネル３１との境目や胴部４とパネル３１との境目を弧状に形成した構成を例に説明した。しかし、本発明の実施形態はこれに限定されず、柱部３２とパネル３１との境目や胴部４とパネル３１との境目を角張らせるように形成してもよいし、また、胴部４とパネル３１とが接続されないようにしてもよい。
【００３６】
（５）上述の実施形態では、胴部４の周面４ａを平滑面にした構成を例に説明した。しかし、本発明の実施形態はこれに限定されず、胴部４にパネルやリブ等の構成を設けてもいいし、所定の文字や図形等の装飾を設けるようにしてもよい。
【００３７】
（６）上述の実施形態では、パネル３１の上下両端３１ｃ，３１ｃを通る平面Ｐからパネル３１の底面３１ａの最深部までの深さＤを１ｍｍ〜７ｍｍとした構成を例に説明した。しかし、参考例として、パネル３１の左右両側辺３１ｂ，３１ｂを通る平面からパネル３１の底面３１ａの最深部までのパネルの深さを１ｍｍ〜７ｍｍとすることも考えられる。
【００３８】
（７）その他の構成に関しても、本明細書において開示された実施形態は全ての点で例示であって、本発明の範囲はそれらによって限定されることはないと理解されるべきである。当業者であれば、本発明の趣旨を逸脱しない範囲で、適宜改変が可能であることを容易に理解できるであろう。従って、本発明の趣旨を逸脱しない範囲で改変された別の実施形態も、当然、本発明の範囲に含まれる。
【産業上の利用可能性】
【００３９】
本発明は、例えば加温用のプラスチックボトルに利用することができる。
【符号の説明】
【００４０】
１          プラスチックボトル
２          口部
３          肩部
３ａ        周面の位置
３１        パネル
３１ａ      底面
３１ｂ      側辺
３１ｃ      上下両端
３２        柱部
４          胴部
４ａ        周面
Ｄ          深さ
Ｐ          パネルの上下両端を通る平面
【図１】
2019038595.tif 000003
【図２】
2019038595.tif 000004
【図３】
2019038595.tif 000005
【図４】
2019038595.tif 000006